(57)【要約】【課題】低周波マッサージ、遠赤外線温シップ、微弱な高周波発生機能を一体として組み合わせ、健康増進に役立つ、複合機能を備えた電極パッチを提供すること。【解決手段】被覆基材２００と、被覆基材２００の下方に設けた導電ゲル層３００とを備え、被覆基材２００の上部に導線を通じて低周波発生装置と接続するために用いる電極接点２１が設けられ、導電ゲル層３００が粘性を備え、その内部に遠赤外線を発生する遠赤外線発熱粒子３１が設けられ、かつ、微弱な高周波を発生できる微弱高周波発生装置５００が設けられ、微弱高周波発生装置５００と導電ゲル層３００が結合されている。【選択図】図２
0003200213.tif 000002
【実用新案登録請求の範囲】
【請求項１】
複合機能を備えた電極パッチであって、被覆基材と、該被覆基材の下方に設けた導電ゲル層とを備え、前記被覆基材の上部に導線を通じて低周波発生装置と接続するために用いる電極接点が設けられ、前記導電ゲル層が粘性を備え、その内部に遠赤外線を発生する遠赤外線発熱粒子が設けられ、かつ、微弱な高周波を発生できる微弱高周波発生装置が設けられ、前記微弱高周波発生装置と前記導電ゲル層が結合されたことを特徴とする、複合機能を備えた電極パッチ。
【請求項２】
前記微弱高周波発生装置の内部に、微弱電波を発生できるＲＦ高周波回路または高周波ＲＦチップが設置され、前記微弱高周波発生装置が無線周波数の高周波（ＲＦ高周波）を発生することを特徴とする、請求項１に記載の複合機能を備えた電極パッチ。
【請求項３】
前記微弱高周波発生装置が薄片状で、前記導電ゲル層の下表面に設置されたことを特徴とする、請求項１または２に記載の複合機能を備えた電極パッチ。
【請求項４】
前記微弱高周波発生装置が、導電ゲル層の中心部位において、導電ゲル層と同じ層に設置されたことを特徴とする、請求項１または２に記載の複合機能を備えた電極パッチ。
【考案の詳細な説明】
【技術分野】
【０００１】
本考案は、低周波、遠赤外線及び微弱高周波を同時に発生させて、皮膚表層に対して緊縮マッサージの動作を行うことができると共に、温シップ、及び、身体器官に対する深層加療を行うことができ、健康増進に役立つ複合機能を備えた電極パッチに関する。
【背景技術】
【０００２】
従来の電極パッチとして、例えば、特許文献１には、電源及び正負二極の電流パルスを発生する回路が内部に配置された防水構造のワンピース式電子低周波パルスパッチ及びその製造方法が開示されている。
しかしながら、上記従来の電極パッチは低周波装置の駆動により、表層皮膚に対してマッサージ運動を行うことができるのみであり、皮膚・筋肉のリラックス効果を達成することはできるものの、残念なことに１つの機能しか具備していない。
【０００３】
近年、ＲＦ高周波により皮膚に対し深層加療を行うことが美容業者の間でブームとなっており、多方面の研究を経て、適切なＲＦ高周波が確かに深層細胞の活性化と再生を達成できることが証明されているが、専門の装置が必要であり、また専門スタッフが操作しないと安全が確保されない。
【先行技術文献】
【特許文献】
【０００４】
【特許文献１】台湾特許第２０１１１７８５０号明細書
【考案の概要】
【考案が解決しようとする課題】
【０００５】
本考案が解決しようとする課題は、上述の問題を解決し、低周波マッサージ、遠赤外線温シップ、微弱な高周波発生機能を一体として組み合わせ、健康増進に役立つ、複合機能を備えた電極パッチを提供することにある。
【課題を解決するための手段】
【０００６】
本考案は、複合機能を備えた電極パッチに関し、被覆基材と、該被覆基材の下方に設けた導電ゲル層とを備え、前記被覆基材の上部に導線を通じて低周波発生装置と接続するために用いる電極接点が設けられ、前記導電ゲル層が粘性を備え、その内部に遠赤外線を発生する遠赤外線発熱粒子が設けられ、かつ、微弱な高周波を発生できる微弱高周波発生装置が設けられ、前記微弱高周波発生装置と前記導電ゲル層が結合される。
【０００７】
前記微弱高周波発生装置の内部に、微弱電波を発生できるＲＦ高周波回路または高周波ＲＦチップが設置され、前記微弱高周波発生装置が無線周波数の高周波（ＲＦ高周波）を発生することがある。
前記微弱高周波発生装置は、薄片状で、前記導電ゲル層の下表面に設置されてもよい。
或いは、前記微弱高周波発生装置は、導電ゲル層の中心部位において、導電ゲル層と同じ層に設置されてもよい。
【考案の効果】
【０００８】
本考案によれば、導電ゲル層を介して電極パッチを皮膚表面に貼付したとき、低周波発生装置の駆動下で皮膚表層と筋肉に対して緊縮動作を行うだけでなく、微弱高周波発生装置が発生する微弱な高周波により身体器官に対して深層加療を行い、さらに、温シップも施すことができて、人体の健康を促進できる。
【図面の簡単な説明】
【０００９】
【図１】本考案の実施例を示す複合機能を備えた電極パッチ及び低周波発生装置の概略図である。
【図２】本考案の実施例を示す複合機能を備えた電極パッチの断面図である。
【図３】本考案の他の実施例を示す複合機能を備えた電極パッチの断面図である。
【図４】本考案の実施例に係る微弱高周波発生装置の平面図である。
【図５】本考案の実施例を示す複合機能を備えた電極パッチの使用状態における概略断面図である。
【考案を実施するための形態】
【００１０】
以下、本考案の実施例を図面に基づいて詳細に説明する。
図１と図２に示すように、本考案の複合機能を備えた電極パッチ１００は、被覆基材２００と導電ゲル層３００を含む。
被覆基材２００は、導電ゲル層３００の上方に設けられ、その上端部に電極接点２１が設けられ、導線４１を介して低周波発生装置４００と接続でき、低周波発生装置４００により駆動される。
導電ゲル層３００は粘性を備え、その内部に遠赤外線を発生できる遠赤外線発熱粒子３１を含む。遠赤外線発熱粒子３１はセラミック粉末、フェライトビーズ、その他粒子とすることができる。
【００１１】
図２に示すように、電極パッチ１００の下方には微弱なＲＦ（Ｒａｄｉｏ  Ｆｒｅｑｕｅｎｃｙ）高周波を発生できる微弱高周波発生装置５００が設置される。微弱高周波発生装置５００は薄片状の単体であり、その内部にＲＦ高周波回路またはＲＦ高周波チップが設置され、微弱な無線周波数の高周波（即ち、ＲＦ高周波）を発生することができる。
微弱高周波発生装置５００の面積は導電ゲル層３００より小さくし、導電ゲル層３００の下方に微弱高周波発生装置５００を設置しても、粘性を備えた導電ゲル層３００により電極パッチ１００を人体皮膚表層に貼付・固定できるようになっている。微弱高周波発生装置５００が皮膚表層に継続的に密着され、連続的に微弱な高周波を発生することで、人体の生物電流周波数を調整し、人体細胞または器官に対して深層加療を行い、睡眠品質の向上、心臓の安定性維持、身体細胞の活性化、免疫力強化、疾病の予防を達成することができる。
【００１２】
即ち、電極パッチ１００には低周波マッサージ、遠赤外線温シップ、ＲＦ高周波発生機能が統合されている。このため、使用者が皮膚表層に貼付したとき、表層皮膚に対する低周波マッサージ、温シップ、深層細胞の活性化促進を同時に実施することができる。
【００１３】
図３に示すように、微弱高周波発生装置５００は直接被覆基材２００の下方に設置することができる。つまり、導電ゲル層３００の中心部位に設置して、導電ゲル層３００でその外周を囲むことができる。これにより、微弱高周波発生装置５００と導電ゲル層３００が同じ層に設置され、一体として結合されるため、全体をより薄くすることができ、使用者は簡単に全体を身体の任意の部位に貼付して、微弱な高周波を通じ身体に連続的な深層加療を行うことができ、必要時は低周波発生装置でマッサージを実施してリラックスすることができる。
【００１４】
図４に示すように、微弱高周波発生装置５００のプリント回路は内コイル５０１と外コイル５０２とすることができ、さらに無線ＩＣチップ（図示しない）を組み合わせて構成し、長時間微弱な高周波を発射させて人体機能を促進することができる。
【００１５】
図５に示すように、電極パッチ１００は、被覆基材２００の底部に微弱高周波発生装置５００と導電ゲル層３００を設置しているため、皮膚に貼付したとき、一方で微弱高周波発生装置５００を利用して皮膚に対し深層加療を行い、深層細胞の活性化を促進することができ、他方では導電ゲル層３００を通じて低周波回路の作用下で、人体の皮膚に対して表層マッサージを行うことができる。同時に、導電ゲル層３００に含まれる遠赤外線発熱粒子３１（図２参照）で温シップを行い、皮下組織の血液循環を加速して、人体の健康を促進することもできる。
【００１６】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００１７】
１００      電極パッチ
２００      被覆基材
３００      導電ゲル層
２１        電極接点
４００      低周波発生装置
４１        導線
３１        遠赤外線発熱粒子
５００      微弱高周波発生装置
５０１      内コイル
５０２      外コイル
【図１】
0003200213.tif 000003
【図２】
0003200213.tif 000004
【図３】
0003200213.tif 000005
【図４】
0003200213.tif 000006
【図５】
0003200213.tif 000007